(57)【要約】【課題】床下設置の横長状の貯湯タンクユニットに於ける、配管接続作業が極めて容易に行えるようにするものである。【解決手段】入水管１１と出湯管７が接続され湯水を貯湯する横長形状をした貯湯タンク４と、前記貯湯タンク４を収納するタンクケース６とを備え、前記タンクケース６上面には貯湯タンク４下部に連通した入水立ち上げ管１２の上端が露呈し、前記入水管１１が接続する入水接続部１７を構成するようにしたので、貯湯タンク４底部に連通する入水管１１の接続がタンクケース６の上面で容易に行え、貯湯タンクユニット１を床下４７に設置して住居周りをスッキリさせる設置でも、配管接続作業が確実に且つ極めて簡単に行えるものである。【選択図】  図３
2004293972.tif 000002
【特許請求の範囲】
【請求項１】
入水管と出湯管が接続され湯水を貯湯する横長形状をした貯湯タンクと、前記貯湯タンクを収納するタンクケースとを備え、前記タンクケース上面には貯湯タンク下部に連通した入水立ち上げ管の上端が露呈し、前記入水管が接続する入水接続部を構成する事を特徴とする貯湯タンクユニット。
【請求項２】
前記入水接続部近傍には、貯湯タンク底部に連通した排水立ち上げ管の上端が露呈し、排水管が接続する排水接続部を構成した事を特徴とする請求項１記載の貯湯タンクユニット。
【発明の詳細な説明】
【０００１】
【発明の属する技術分野】
この発明は、ヒートポンプ給湯機や電気温水器等の貯湯タンクユニットに関するものである。
【０００２】
【従来の技術】
従来の貯湯タンクを横置きにして使用するものでは、底部に給水口があり当然この給水口に入水管を接続することとなるものであった。（例えば、特許文献１参照。）
【０００３】
【特許文献１】
特許第２５７９５００号公報
【０００４】
【発明が解決しようとする課題】
ところでこの従来のものでは、貯湯タンクを横置きにしているところから、床下への設置が考えられるが、この設置は床下に貯湯タンクユニットが３分の１位埋まる穴を掘って設置される為、設置後には底部の給水口に入水管を接続することが難しものであり、又接続後の設置も出来ないものであった。
【０００５】
【課題を解決するための手段】
この発明はこの点に着目し上記欠点を解決する為、特にその構成を、入水管と出湯管が接続され湯水を貯湯する横長形状をした貯湯タンクと、前記貯湯タンクを収納するタンクケースとを備え、前記タンクケース上面には貯湯タンク下部に連通した入水立ち上げ管の上端が露呈し、前記入水管が接続する入水接続部を構成するものである。
【０００６】
これによって、貯湯タンク底部に連通する入水管の接続がタンクケースの上面で容易に行え、貯湯タンクユニットを床下に設置して住居周りをスッキリさせる設置でも、配管接続作業が確実に且つ極めて簡単に行えるものである。
【０００７】
【発明の実施の形態】
次にこの発明の一実施形態を図面に基づいて説明する。
１は横置き式で建家の床下に設置される貯湯タンクユニット、２はヒートポンプユニットよりなる加熱手段、３は前記貯湯タンクユニット１と加熱手段２とを結ぶ配管ユニットである。
【０００８】
前記貯湯タンクユニット１は、湯水を貯湯する横長形状の貯湯タンク４と、該貯湯タンク４を外周を覆う保温材５と共に収納するタンクケース６と、貯湯タンク４の上部に連通しタンクケース６上面に突出して出湯管７と接続する出湯取出管８と、貯湯タンク４の同じく上部に連通しタンクケース６上面に突出して加熱手段２からの戻り管９が接続する戻り取出管１０と、貯湯タンク４の下部に連通し立ち上げられてタンクケース６上面に突出して入水管１１が接続する入水立ち上げ管１２と、貯湯タンク４の底部に連通し立ち上げられてタンクケース６上面に突出して加熱手段２へ向かう往き管１３が接続する排水立ち上げ管１４とがそれぞれ備えられており、又貯湯タンク４内方中央には入水管１１と連通し給水を行う円筒状の給水補助管１５が長手方向に延設し２つの支持脚１６に支持され備えられ、終端部は閉塞されている。
【０００９】
更に前記入水立ち上げ管１２及び排水立ち上げ管１４は、タンクケース６上面に突出する上端部を、入水管１１及び往き管１３と接続する為の入水接続部１７及び排水接続部１８をぞぞれ構成しているものである。
又前記往き管１３は配管ユニット３内で、流路切換弁１９を介して排水ポンプ２０にも連通しており、貯湯タンク４内の湯水を排水する時には、排水ポンプ２０側の流路に切り替わり往き管１３が排水管も兼ねるものである。
【００１０】
前記加熱手段２は、冷媒を圧縮するコンプレッサー２１と、凝縮器としての冷媒−水熱交換器２２と、減圧器２３と、蒸発器としての空気熱交換器２４よりなるヒートポンプ回路２５と、空気熱交換器２４に送風する送風機２６と、前記戻り管９と往き管１３から成る循環回路２７途中に設けられた能力可変の循環ポンプ２８と、循環回路２７の冷媒−水熱交換器２２入口側に設けられ、冷媒−水熱交換器２２に流入する湯水の温度を検出する熱交入口温度センサ２９と、循環回路２７の冷媒−水熱交換器２２出口側に設けられ、冷媒−水熱交換器２２から流出する湯水の温度を検出する熱交出口温度センサ３０と、この加熱手段２の制御を行う加熱制御部３１とを備えて構成されている。
【００１１】
前記配管ユニット３は、出湯管７からの高温水と入水管１１から分岐された分岐管３２からの低温水とを混合するミキシング弁３３と、ミキシング弁３３の下流に接続された給湯栓３４を有する給湯管３５と、給湯管３５に設けられた給湯温度センサ３６と、給湯管３５に設けられた給湯流量センサ３７と、給湯管３５から分岐し浴槽３８の循環回路３９に接続した湯張り管４０と、循環回路３９中で浴槽水の保温を行う保温ヒ−タ４１及び風呂循環ポンプ４２と、入水管１１の減圧弁４３及び出湯管７の圧力逃がし弁４４と、これらの機能部品を制御する給湯制御部４５とを備えて構成されており、配管及び機能部品をこの配管ユニット３に集中させることで、設置時の配管作業及び設置後のメンテナンス作業を簡単且つ効率よく行えるようにしているもので、貯湯タンクユニット１を建家４６の床下４７に５０ｃｍ程度の穴４８を掘って設置するものには特に有効である。
【００１２】
次にこの発明一実施例の作動について説明する。
先ず貯湯タンクユニット１の設置では、建家４６の床下４７に穴４８を堀って貯湯タンクユニット１を置いた後に配管接続するものであり、この時タンクケース６上面には貯湯タンク４の下部や底部に、入水立ち上げ管１２及び排水立ち上げ管１４を介して連通する入水接続部１７及び排水接続部１８を備えているので、狭い穴４８の中で接続作業をする必要がなくなり、タンクケース６上で入水管１１及び往き管１３（排水管）を容易に接続することが出来、極めて簡単に接続作業が行えるものである。
【００１３】
次に設置終了後の作動について説明すれば、貯湯タンク４内の湯水を加熱する場合には、加熱制御部３１がヒートポンプ回路２５を作動させ、循環回路２７の循環ポンプ２８を駆動開始する。そして、循環ポンプ２８の駆動により貯湯タンク４下部から取り出された湯水が加熱手段２の冷媒−水熱交換器２２に流入して加熱され、循環回路２７を介して貯湯タンク４の上部に戻されることにより高温の湯が貯湯される。
【００１４】
ここで、熱交入口温度センサ２９と熱交出口温度センサ３０の検出値に応じて、ヒートポンプ回路２５の出力と循環ポンプ２８の能力を適宜調整して加熱する湯水が所定の高温になるように可変されるものである。詳細には、それぞれの出力および能力は熱交入口温度センサ２９と熱交出口温度センサ３０の検出値に応じてフィードフォワード制御及び／又はフィードバック制御により調整されるものである。
【００１５】
そして、貯湯タンク４の側面に設けられた貯湯温度センサ（図示せず）が所定の量の高温水が貯湯されたことを検出するか、又は、熱交入口温度センサ２９が所定温度以上を検出すると、給湯制御部４５が加熱制御部３１へ加熱動作の停止を指令し、ヒートポンプ回路２５と循環ポンプ２８の作動が停止されるものである。
【００１６】
一方この貯湯タンク４に貯湯された高温水は、給湯栓３４を開くと、入水管１１からの圧により貯湯タンク４上部の高温水が出湯管７に押し出され、給湯制御部４５により制御されるミキシング弁３３にて分岐管３２の低温水と給湯温度センサ３６の検出する温度が所定の温度になるように混合されて給湯管３５を介して給湯されるものであり、湯張り管４０を介して所定温度湯を浴槽３８へ湯張りすることも出来る。なお、前記所定の温度は操作用リモコン（図示せず）により任意に設定されるものである。
【００１７】
従って、横置き式の貯湯タンク４に於いても、安価な電力を利用して貯湯した満量の高温水を、全量良好に給湯として使用出来極めて使用勝手が良いものである。
【００１８】
更にこの実施形態では、ヒ−トポンプ式の給湯機で説明したが、これに限定されることなく、電気ヒ−タを加熱手段とした電気温水器でも同様な効果が得られるものである。
【００１９】
【発明の効果】
以上のようにこの発明によれば、貯湯タンク底部に連通する入水管の接続がタンクケースの上面で容易に行え、貯湯タンクユニットを床下に設置して住居周りをスッキリさせる設置でも、配管接続作業が確実に且つ極めて簡単に行えるものである。
【図面の簡単な説明】
【図１】この発明の一実施形態を付した貯湯式給湯装置の概略構成図。
【図２】同貯湯タンクユニットの断面図。
【図３】同貯湯タンクユニット設置状態を示す説明図。
【符号の説明】
４  貯湯タンク
６  タンクケース
７  出湯管
１１  入水管
１２  入水立ち上げ管
１７  入水接続部
４７  床下
【図１】
2004293972.tif 000003
【図２】
2004293972.tif 000004
【図３】
2004293972.tif 000005